(57)【要約】【課題】視認性を維持すると共にバックライトの寿命向上を図りつつ、輝度変更の自由度を向上させることができる表示装置を提供する。【解決手段】表示制御を行う信号処理部２と、バックライト４と表示デバイス５とタッチパネル６とを有し信号処理部２から送られてくるデータを表示する表示部３と、信号処理部２と外部機器との通信インタフェースを行う外部インタフェース部７と、信号処理部２の設定に基づきバックライト４に任意の電圧を供給するバックライト制御回路部８と、を備え、外部インタフェース部７を介した外部機器からの遠隔設定入力により信号処理部２の設定を可変にすることで、バックライト制御回路部８がバックライト４へ供給する電圧を可変にして、バックライト４の輝度が調節されるようになした。【選択図】図１
2007316183.tif 000002
【特許請求の範囲】
【請求項１】
表示制御を行う信号処理部と、バックライトと表示デバイスとタッチパネルとを有し信号処理部から送られてくるデータを表示する表示部と、信号処理部と外部機器との通信インタフェースを行う外部インタフェース部と、信号処理部の設定に基づきバックライトに任意の電圧を供給するバックライト制御回路部と、を備え、外部インタフェース部を介した外部機器からの遠隔設定入力により信号処理部の設定を可変にすることで、バックライト制御回路部がバックライトへ供給する電圧を可変にして、バックライトの輝度が調節されるようになした表示装置。
【請求項２】
時間設定部を備え、この時間設定部が予め設定された時間に応じて自動的に信号処理部の設定を変更することで、バックライト制御回路部がバックライトへ供給する電圧を変更することを特徴とする請求項１記載の表示装置。
【請求項３】
センサ部を備え、このセンサ部がセンサの入力に応じて自動的に信号処理部の設定を変更することで、バックライト制御回路部がバックライトへ供給する電圧を変更することを特徴とする請求項１又は２記載の表示装置。
【請求項４】
センサ部に振動を感知する振動センサを備え、この振動センサの入力に応じて自動的に信号処理部の設定を変更することで、バックライト制御回路部がバックライトへ供給する電圧を変更することを特徴とする請求項１〜３いずれか一項記載の表示装置。
【請求項５】
センサ部に温度を感知する温度センサを備え、この温度センサの入力に応じて自動的に信号処理部の設定を変更することで、バックライト制御回路部がバックライトへ供給する電圧を変更することを特徴とする請求項１〜４いずれか一項記載の表示装置。
【発明の詳細な説明】
【技術分野】
【０００１】
本願発明は、表示制御を行う信号処理部と、バックライトと表示デバイスとタッチパネルとを有し信号処理部から送られてくるデータを表示する表示部と、を備える表示装置に関するものである。
【背景技術】
【０００２】
従来から、特開平１０−０７８８０６号公報（特許文献１）に示されるように、表示装置は知られている。この表示装置は図１２に示すように、液晶表示パネルの画面に透明のタッチパネルを貼り着けて構成された前面パネル１０１と、表示器本体１０２と、からなる。
【０００３】
この種の表示装置１００は一般的に、前面パネル１０１のタッチパネルによる設定入力により輝度変更が行える。よって、視認性が必要となる状況においては輝度を向上させ、視認性が必要でない状況においては輝度を抑えることができる。これにより、視認性を維持しつつ、バックライトの寿命向上を図ることができた。
【特許文献１】特開平１０−０７８８０６号公報
【発明の開示】
【発明が解決しようとする課題】
【０００４】
しかしながら、特開平１０−０７８８０６号公報に示される上記従来例の表示装置１００にあっては、直接タッチパネルによってオペレータが設定入力をしなければならず、オペレータが不在である場合には輝度を変更することができないという問題が生じていた。
【０００５】
本願発明は上記背景技術に鑑みて発明されたものであり、その課題は、視認性を維持すると共にバックライトの寿命向上を図りつつ、輝度変更の自由度を向上させることができる表示装置を提供することである。
【課題を解決するための手段】
【０００６】
上記課題を解決するために、本願請求項１記載の発明では、表示制御を行う信号処理部と、バックライトと表示デバイスとタッチパネルとを有し信号処理部から送られてくるデータを表示する表示部と、信号処理部と外部機器との通信インタフェースを行う外部インタフェース部と、信号処理部の設定に基づきバックライトに任意の電圧を供給するバックライト制御回路部と、を備え、外部インタフェース部を介した外部機器からの遠隔設定入力により信号処理部の設定を可変にすることで、バックライト制御回路部がバックライトへ供給する電圧を可変にして、バックライトの輝度が調節されるようになしたことを特徴としている。
【０００７】
又、本願請求項２記載の発明では、上記請求項１記載の表示装置において、時間設定部を備え、この時間設定部が予め設定された時間に応じて自動的に信号処理部の設定を変更することで、バックライト制御回路部がバックライトへ供給する電圧を変更することを特徴としている。
【０００８】
又、本願請求項３記載の発明では、上記請求項１又は２記載の表示装置において、センサ部を備え、このセンサ部がセンサの入力に応じて自動的に信号処理部の設定を変更することで、バックライト制御回路部がバックライトへ供給する電圧を変更することを特徴としている。
【０００９】
又、本願請求項４記載の発明では、上記請求項１〜３いずれか一項記載の表示装置において、センサ部に振動を感知する振動センサを備え、この振動センサの入力に応じて自動的に信号処理部の設定を変更することで、バックライト制御回路部がバックライトへ供給する電圧を変更することを特徴としている。
【００１０】
又、本願請求項５記載の発明では、上記請求項１〜４いずれか一項記載の表示装置において、センサ部に温度を感知する温度センサを備え、この温度センサの入力に応じて自動的に信号処理部の設定を変更することで、バックライト制御回路部がバックライトへ供給する電圧を変更することを特徴としている。
【発明の効果】
【００１１】
本願請求項１記載の発明の表示装置においては、外部インタフェース部と、バックライト制御回路部と、を備え、外部インタフェース部を介した外部機器からの遠隔設定入力により信号処理部の設定を可変にすることで、バックライト制御回路部がバックライトへ供給する電圧を可変にし、バックライトの輝度を調節できる。よって、オペレータが不在であっても輝度が調節でき、輝度変更の自由度を向上させることができる。
【００１２】
本願請求項２記載の発明の表示装置においては、特に、時間設定部を備え、この時間設定部が予め設定された時間に応じて自動的に信号処理部の設定を変更することで、バックライト制御回路部がバックライトへ供給する電圧を変更できる。よって、所定の時間に稼動する定期運転設備等においては、時間に応じて自動で輝度を変更でき、オペレータの煩雑さを軽減できると共に常に輝度を最適にすることができる。
【００１３】
本願請求項３記載の発明の表示装置においては、特に、センサ部を備え、このセンサ部がセンサの入力に応じて自動的に信号処理部の設定を変更することで、バックライト制御回路部がバックライトへ供給する電圧を変更できる。よって、センサの入力に応じてより細やかに輝度を調節することができるので、更に視認性を高めつつバックライトの寿命を延長させることができる。又、オペレータの煩雑さをより軽減できる。又、センサの反応による輝度の変化により、オペレータはセンサ及び設備が稼動していることを認識でき、安全意識を高めることができる。
【００１４】
本願請求項４記載の発明の表示装置においては、特に、センサ部に振動を感知するための振動センサを備え、この振動センサの入力に応じて自動的に信号処理部の設定を変更することで、バックライト制御回路部がバックライトへ供給する電圧を変更できる。よって、表示が不要である、設備が停止している間は自動で輝度を低下することができ、バックライトの寿命を更に延長させることができる。
【００１５】
本願請求項５記載の発明の表示装置においては、特に、センサ部に温度を感知するための温度センサを備え、この温度センサの入力に応じて自動的に信号処理部の設定を変更することで、バックライト制御回路部がバックライトへ供給する電圧を変更できる。よって、高温環境下において、バックライトへ供給する電圧を下げることでバックライトの発熱を抑えることができ、バックライトの寿命を延長させることができる。
【発明を実施するための最良の形態】
【００１６】
以下、本願発明を添付図面に示す実施形態に基づいて説明する。
【００１７】
図１〜３は、本願請求項１に対応した第一の実施形態である表示装置１を示している。
【００１８】
この表示装置１は、表示制御を行う信号処理部２と、バックライト４と表示デバイス５とタッチパネル６とを有し信号処理部２から送られてくるデータを表示する表示部３と、信号処理部２と外部機器との通信インタフェースを行う外部インタフェース部７と、信号処理部２の設定に基づきバックライト４に任意の電圧を供給するバックライト制御回路部８と、を備え、外部インタフェース部７を介した外部機器からの遠隔設定入力により信号処理部２の設定を可変にすることで、バックライト制御回路部８がバックライト４へ供給する電圧を可変にして、バックライト４の輝度が調節されるようになっている。
【００１９】
以下、この実施形態の表示装置１をより具体的詳細に説明する。
【００２０】
図１に示すように、外部インタフェース部７は、ＲＳ２３２Ｃ、ＲＳ４２２、ＲＳ４８５、ＵＳＢなどの通信手段を有し、外部接続機器（ＰＬＣ、上位ホストなど）と信号処理部２との通信インタフェースを行う。
【００２１】
信号処理部２は、CPU９やメモリ１０などを有し、例えば表示デバイス５に表示するためのデータを生成する描画処理、外部接続機器とデータの送受信を行う通信処理、タッチパネル６の状態を監視するタッチパネル制御処理などの表示装置１全体の制御を行う。
【００２２】
表示部３は、バックライト４、表示デバイス５、タッチパネル６を有し、信号処理部２で生成した描画データを映し出すとともに、タッチパネル６を介してオペレータの操作入力を受け付ける。例えば、バックライト４にはＣＦＬ管やＬＥＤがあり、表示デバイス５には液晶パネルなどがあり、タッチパネル６には抵抗膜方式、静電容量方式などのタイプがある。
【００２３】
バックライト制御回路部８は、メモリ１０に設定された電圧情報に基づいた信号処理部２からの信号により表示デバイス５の光源となるバックライト４に供給する電圧を変化させる。
【００２４】
以下にバックライト制御回路部８の詳細を図２に基づいて説明する。
【００２５】
レギュレータ１１は、スタンバイ機能を持ち、分圧部１３に応じた電圧が出力される。インバータ回路１２は、レギュレータ１１からの出力を受け高圧の交流電圧に変換する。分圧部１３の設定は、信号処理部２からのＳＩＧ１、ＳＩＧ２信号に基づき動作する。具体的には、ＳＩＧ１がＯＦＦの時には、Ｒ１とＲ２とで決定される出力電圧Ｖｏｕｔ１がインバータ回路１２に供給され、ＳＩＧ１がＯＮの時には、Ｒ１〜Ｒ３で決定される出力電圧Ｖｏｕｔ２がインバータ回路１２に供給される。また、ＳＩＧ２がＯＦＦの時には、レギュレータ１１は動作状態となり、上記ＳＩＧ１の設定に応じた出力電圧がインバータ回路１２に供給され、ＳＩＧ２がＯＮの時には、スタンバイモードとなり、レギュレータ１１出力は停止する。本回路では、スタンバイモード、Ｖｏｕｔ１、Ｖｏｕｔ２のみ実現できるが、分圧部１３の回路を変更することで、出力電圧の可変数を増やす事が出来る。
【００２６】
なお上記はバックライト４にＣＦＬ管を想定し、スイッチングレギュレータ１１を用いた電源回路の例を説明したが、実施にあたってはこの限りではない。
【００２７】
次に、タッチパネル６および外部機器の入力によるバックライト供給電圧の可変手段を、図３に基づいて説明する。
【００２８】
バックライト制御処理は、信号処理部２の処理ルーチンにおいて、バックライト制御回路部８の変更を認めた際に処理が開始される。具体的には、外部機器から外部インタフェース部７を介してバックライト制御回路部８の電圧変更指示を受け取った際にＶＣＨＧ＿ＥＸＴフラグがＯＮになり、タッチパネル操作によりバックライト制御回路部８の電圧変更指示を受け取った際にはＶＣＨＧ＿ＴＣＨフラグがＯＮになる。バックライト制御ルーチンは、上記ＶＣＨＧ＿ＥＸＴ、ＶＣＨＧ＿ＴＣＨフラグにより、それぞれの変更指示内容が格納されている制御レジスタＶＣＨＧ＿ＥＸＴ＿ＲＥＧ、ＶＣＨＧ＿ＴＣＨ＿ＲＥＧを読み出す。このとき、バックライト制御ルーチンが開始されたにも関わらずＶＣＨＧ＿ＥＸＴ、ＶＣＨＧ＿ＴＣＨフラグがＯＦＦの場合は、フラグエラーと判断しＶＣＨＧ＿ＥＲＲ１をＯＮにして、信号処理部２の処理ルーチンに戻る。ＶＣＨＧ＿ＥＸＴ＿ＲＥＧ、ＶＣＨＧ＿ＴＣＨ＿ＲＥＧのレジスタを読み出した後は、レジスタの内容に対してＶｏｕｔ１出力判定、Ｖｏｕｔ２出力判定、スタンバイ出力判定を行い、それぞれの結果に応じたＳＩＧ１、ＳＩＧ２の出力を行う。このとき、何れの判定出力をも満たさなかった場合は、前回と同じＳＩＧ１、ＳＩＧ２を出力すると共に、所望のデータがレジスタに格納されていないと判断してＶＣＨＧ＿ＥＲＲ２フラグをＯＮにして信号処理部２の処理ルーチンに戻る。
【００２９】
したがって、この実施形態の表示装置１においては、外部インタフェース部７と、バックライト制御回路部８と、を備え、外部インタフェース部７を介した外部機器からの遠隔設定入力により信号処理部２の設定を可変にすることで、バックライト制御回路部８がバックライト４へ供給する電圧を可変にし、バックライト４の輝度を調節できる。よって、表示装置１が高温であったり騒音が激しいといった使用者にとって負担が大きい場所に設けられていても、タッチパネル操作によらず遠隔からの設定入力により輝度を調節が調節でき、使用者の負担を軽減できる。
【００３０】
図４、５は、本願請求項１、２に対応した第二の実施形態である表示装置１を示している。
【００３１】
なお、ここでは、上記第一の実施形態と相違する事項についてのみ説明し、その他の事項（構成、作用効果等）については、上記第一の実施形態と同様であるのでその説明を省略する。
【００３２】
この表示装置１は、時間設定部を備え、この時間設定部が予め設定された時間に応じて自動的に信号処理部２の設定を変更することで、バックライト制御回路部８がバックライト４へ供給する電圧を変更する。
【００３３】
以下、この実施形態の表示装置１をより具体的詳細に説明する。
【００３４】
図４に示すように、表示装置１は、予めプログラムされた設定時刻（タイムテーブル）と、信号処理部２に備えられている時計設定部（以下、時計回路１４とする）のデータを比較し、その比較結果に基づいてＳＩＧ１、ＳＩＧ２出力を行う。この時計回路１４は、ＣＰＵ内蔵の時計回路１４でも、ＣＰＵとは関係なく構成された時計回路１４でもよい。また、設定時刻（タイムテーブル）の設定は、外部機器から外部インタフェース部７を介して処理ルーチンに送られる手段とタッチパネル６を操作してオペレータが設定時刻を入力する手段などがある。何れの場合においてもバックライト４に供給する電圧を自動で変化させる。
【００３５】
次に、省エネ時間設定機能を実行するための時間制御処理ルーチンを図５に基づいて説明する。
【００３６】
時間制御処理ルーチンは、信号処理部２の処理ルーチンにおいて、時計データと設定時刻が一致した際に処理が開始される。具体的には、時計データと設定データが一致した際にＴＩＭＥ＿ＣＭＰフラグがＯＮする。時間制御処理ルーチンは、処理開始後、上記ＴＩＭＥ＿ＣＭＰフラグのＯＮ判定により、タイムテーブルが格納されているＴＩＭＥ＿ＴＡＢＬＥ＿ＲＥＧレジスタを読み出す。このとき、時間制御処理ルーチンが開始されたにも関わらずＴＩＭＥ＿ＣＭＰフラグがＯＦＦの場合は、フラグエラーと判断しＴＩＭＥ＿ＥＲＲ１をＯＮにして、信号処理部２のルーチンに戻る。ＴＩＭＥ＿ＴＡＢＬＥ＿ＲＥＧのレジスタを読み出した後は、レジスタの内容に対してＶｏｕｔ１出力判定、Ｖｏｕｔ２出力判定、スタンバイ出力判定を行い、それぞれの結果に応じたＳＩＧ１、ＳＩＧ２の出力を行う。このとき、何れの判定出力をも満たさなかった場合は、前回と同じＳＩＧ１、ＳＩＧ２を出力すると共に、所望のデータがレジスタに格納されていないと判断してＴＩＭＥ＿ＥＲＲ２フラグをＯＮにして信号処理部２の処理ルーチンに戻る。
【００３７】
したがって、この実施形態の表示装置１においては、時間回路１４を備え、この時間回路１４が予め設定された時間に応じて自動的に信号処理部２の設定を変更することで、バックライト制御回路部８がバックライト４へ供給する電圧を変更できる。よって、所定の時間に稼動する定期運転設備等においては、時間に応じて自動で輝度を変更でき、オペレータの煩雑さを軽減できると共に常に輝度を最適にすることができる。
【００３８】
図６、７は、本願請求項１〜３に対応した第三の実施形態である表示装置１を示している。
【００３９】
なお、ここでは、上記第二の実施形態と相違する事項についてのみ説明し、その他の事項（構成、作用効果等）については、上記第二の実施形態と同様であるのでその説明を省略する。
【００４０】
この表示装置１は、センサ部１５を備え、このセンサ部１５がセンサ１７の入力に応じて自動的に信号処理部２の設定を変更することで、バックライト制御回路部８がバックライト４へ供給する電圧を変更する。
【００４１】
以下、この実施形態の表示装置１をより具体的詳細に説明する。
【００４２】
図６に示すように、表示装置１は、センサ入力手段１６を介し本体外部に取り付けられたセンサ１７の入力に応じて、バックライト４に供給する電圧を自動で変化させる。外部に取り付けるセンサ１７は、明るさを検知する照度センサや人体を検知する赤外線センサ、エリアを監視するエリアセンサなどの他、設備のスイッチと連動させるなど単純なスイッチでも良い。これらセンサ入力のタイプとして、ＯＮ／ＯＦＦの２値の場合、ＯＮ／ＯＦＦの２値を組み合わせたデジタル信号の場合、アナログ信号入力などがあるが、信号処理部２は何れも処理できる。例えば、ＯＮ／ＯＦＦの２値の場合は、信号電圧レベルの調節を行った後にCPU９の入力ポートから取り込む事でプログラム処理できる。また、ＯＮ／ＯＦＦの２値を組み合わせたデジタル信号の場合（Ｉ２Ｃ通信、ＳＰＩ通信など）は、前記と同様の手段でも良いし、CPU９の上記通信専用ポートを用いてもプログラム処理できる。アナログ信号入力の場合は、信号処理部２にＡＤ変換回路を備えてアナログからデジタルに変換してからCPU９に取り込んでも良いし、もしくはCPU９のアナログ入力ポートを使用してもプログラム処理できる。
【００４３】
次に、エリアセンサを用いたセンサ入力処理ルーチンを図７に基づいて説明する。
【００４４】
センサ入力処理ルーチンは、信号処理部２の処理ルーチンがセンサ入力を受け、バックライト４への供給電圧の変更を認めたときに処理開始される。具体的には、設備の周囲に設置してあるエリアセンサ内に操作者の侵入があるとセンサがＯＮし、表示装置１の信号処理部２は処理を行いＳＥＮＳＯＲ＿ＦＲＧがＯＮする。センサ入力処理ルーチンは、処理開始後、上記ＳＥＮＳＯＲ＿ＦＲＧのＯＮ判定により、処理内容が格納されているＳＥＮＳＯＲ＿ＴＡＢＬＥ＿ＲＥＧレジスタを読み出す。このとき、センサ入力処理ルーチンが開始されたにも関わらずＳＥＮＳＯＲ＿ＦＲＧがＯＦＦの場合は、フラグエラーと判断しＳＥＮＳＯＲ＿ＥＲＲ１をＯＮにして、信号処理部２のルーチンに戻る。ＳＥＮＳＯＲ＿ＴＡＢＬＥ＿ＲＥＧのレジスタを読み出した後は、レジスタの内容に対してＶｏｕｔ１出力判定、Ｖｏｕｔ２出力判定、スタンバイ出力判定を行い、それぞれの結果に応じたＳＩＧ１、ＳＩＧ２の出力を行う。このとき、何れの判定出力をも満たさなかった場合は、前回と同じＳＩＧ１、ＳＩＧ２を出力すると共に、所望のデータがレジスタに格納されていないと判断してＳＥＮＳＯＲ＿ＥＲＲ２フラグをＯＮにして信号処理部２の処理ルーチンに戻る。
【００４５】
したがって、この実施形態の表示装置１においては、センサ部１５を備え、このセンサ部１５がセンサ１７の入力に応じて自動的に信号処理部２の設定を変更することで、バックライト制御回路部８がバックライト４へ供給する電圧を変更できる。よって、センサ１７の入力に応じてより細やかに輝度を調節することができるので、更に視認性を高めつつバックライト４の寿命を延長させることができる。又、オペレータの煩雑さをより軽減できる。又、センサ１７の反応による輝度の変化により、オペレータはセンサ１７及び設備が稼動していることを認識でき、安全意識を高めることができる。
【００４６】
図８、９は、本願請求項１〜４に対応した第四の実施形態である表示装置１を示している。
【００４７】
なお、ここでは、上記第三の実施形態と相違する事項についてのみ説明し、その他の事項（構成、作用効果等）については、上記第三の実施形態と同様であるのでその説明を省略する。
【００４８】
この表示装置１は、センサ部１５に振動を感知する振動センサ１８を備え、この振動センサ１８の入力に応じて自動的に信号処理部２の設定を変更することで、バックライト制御回路部８がバックライト４へ供給する電圧を変更する。
【００４９】
以下、この実施形態の表示装置１をより具体的詳細に説明する。
【００５０】
図８に示すように、表示装置１は、センサ部１５に振動センサ１８を備え、振動があるときと無いときとでバックライト４に供給する電圧を自動で変化させる。例えば、表示装置１が取り付けられている設備の振動を検知した際は、設備稼働中と判断しバックライト４を明るくする。振動を検知しなくなれば、設備休止、もしくは設備停止と判断し、バックライト４を暗くしたり、スタンバイ状態にする。
【００５１】
次に、これまでの実施形態と同様に２種類の電圧出力とスタンバイとを持つ表示装置１を例に、図９に基づいて説明する。なお、変更できる電圧種類は２つに限らない。
【００５２】
振動センサ処理ルーチンは、信号処理部２の処理ルーチンにおいて、振動ありと判断した際に処理が開始される。具体的には、設備の振動を振動センサ１８が検知し、信号処理部２は振動センサ１８からの出力を一定期間入力する。そして、その入力内容から誤振動か否かの判定と振動レベルの判定処理を行い、振動ありと認めた際にはＶＩＢ＿ＦＲＧフラグがＯＮされる。振動センサ処理ルーチンは、処理開始後、上記ＶＩＢ＿ＦＲＧフラグのＯＮ判定により、振動センサ処理が格納されているＶＩＢ＿ＴＡＢＬＥ＿ＲＥＧレジスタを読み出す。このとき、振動センサ処理ルーチンが開始されたにも関わらずＶＩＢ＿ＦＲＧフラグがＯＦＦの場合は、フラグエラーと判断しＶＩＢ＿ＥＲＲ１をＯＮにして、信号処理部２のルーチンに戻る。ＶＩＢ＿ＴＡＢＬＥ＿ＲＥＧのレジスタを読み出した後は、レジスタの内容に対してＶｏｕｔ１出力判定、Ｖｏｕｔ２出力判定、スタンバイ出力判定を行い、それぞれの結果に応じたＳＩＧ１、ＳＩＧ２の出力を行う。このとき、何れの判定出力をも満たさなかった場合は、前回と同じＳＩＧ１、ＳＩＧ２を出力すると共に、所望のデータがレジスタに格納されていないと判断してＶＩＢ＿ＥＲＲ２フラグをＯＮにして信号処理部２の処理ルーチンに戻る。
【００５３】
したがって、この実施形態の表示装置１においては、センサ部１５に振動を感知するための振動センサ１８を備え、この振動センサ１８の入力に応じて自動的に信号処理部２の設定を変更することで、バックライト制御回路部８がバックライト４へ供給する電圧を変更できる。よって、表示が不要である、設備が停止している間は自動で輝度を低下することができ、バックライト４の寿命を更に延長させることができる。
【００５４】
図１０、１１は、本願請求項１〜５に対応した第五の実施形態である表示装置１を示している。
【００５５】
なお、ここでは、上記第四の実施形態と相違する事項についてのみ説明し、その他の事項（構成、作用効果等）については、上記第四の実施形態と同様であるのでその説明を省略する。
【００５６】
この表示装置１は、センサ部１５に温度を感知する温度センサ１９を備え、この温度センサ１９の入力に応じて自動的に信号処理部２の設定を変更することで、バックライト制御回路部８がバックライト４へ供給する電圧を変更する。
【００５７】
以下、この実施形態の表示装置１をより具体的詳細に説明する。
【００５８】
表示装置１は、表示デバイス５のコントラストを調整するなどの目的でセンサ部１５に温度センサ１９を備えている。具体的にはサーミスタを備えている。本実施形態は、この既存の温度センサ１９を流用して、本体内部の温度上昇を検知した際に、バックライト４への供給電圧を下げることでバックライト発熱を抑え、結果、バックライト寿命の延命を図ることを目的としている。バックライト４への供給電圧は、その他実施形態と同様、タッチパネル入力による手動変更、外部機器による遠隔制御での変更、センサ入力による自動変更の手段を持つ。
【００５９】
次に、温度センサ処理ルーチンを図１１に基づいて説明する。
【００６０】
温度センサ処理ルーチンは、信号処理部２の処理ルーチンが温度上昇を認めたとき、処理が開始される。具体的には、信号処理部２の処理ルーチンが温度上昇を検知した際、ＴＥＭＰ＿ＦＲＧがＯＮされる。温度センサ処理ルーチンは、処理開始後、上記ＴＥＭＰ＿ＦＲＧフラグのＯＮ判定により、温度センサ処理が格納されているＴＥＭＰ＿ＴＡＢＬＥ＿ＲＥＧレジスタを読み出す。このとき、温度センサ処理ルーチンが開始されたにも関わらずＴＥＭＰ＿ＦＲＧフラグがＯＦＦの場合は、フラグエラーと判断しＴＥＭＰ＿ＥＲＲ１をＯＮにして、信号処理部２のルーチンに戻る。ＴＥＭＰ＿ＴＡＢＬＥ＿ＲＥＧのレジスタを読み出した後は、レジスタの内容に対してＶｏｕｔ１出力判定、Ｖｏｕｔ２出力判定、スタンバイ出力判定を行い、それぞれの結果に応じたＳＩＧ１、ＳＩＧ２の出力を行う。このとき、何れの判定出力をも満たさなかった場合は、前回と同じＳＩＧ１、ＳＩＧ２を出力すると共に、所望のデータがレジスタに格納されていないと判断してＴＥＭＰ＿ＥＲＲ２フラグをＯＮにして信号処理部２の処理ルーチンに戻る。
【００６１】
したがって、この実施形態の表示装置１においては、センサ部１５に温度を感知するための温度センサ１９を備え、この温度センサ１９の入力に応じて自動的に信号処理部２の設定を変更することで、バックライト制御回路部８がバックライト４へ供給する電圧を変更できる。よって、高温環境下において、バックライト４へ供給する電圧を下げることでバックライト４の発熱を抑えることができ、バックライト４の寿命を延長させることができる。
【図面の簡単な説明】
【００６２】
【図１】本願発明の第一の実施形態である表示装置を示すブロック図。
【図２】同表示装置のバックライト制御回路を示すブロック図。
【図３】同表示装置の動作を示すフローチャート。
【図４】本願発明の第二の実施形態である表示装置を示すブロック図。
【図５】同表示装置の動作を示すフローチャート。
【図６】本願発明の第三の実施形態である表示装置を示すブロック図。
【図７】同表示装置の動作を示すフローチャート。
【図８】本願発明の第四の実施形態である表示装置を示すブロック図。
【図９】同表示装置の動作を示すフローチャート。
【図１０】本願発明の第五の実施形態である表示装置を示すブロック図。
【図１１】同表示装置の動作を示すフローチャート。
【図１２】従来例である表示装置を示す斜視図。
【符号の説明】
【００６３】
１  表示装置
２  信号処理部
３  表示部
４  バックライト
５  表示デバイス
６  タッチパネル
７  外部インタフェース部
８  バックライト制御回路部
９  CPU
１０  メモリ
１１  レギュレータ
１２  インバータ回路
１３  分圧部
１４  時計回路（時間設定部）
１５  センサ部
１６  センサ入力手段
１７  センサ
１８  振動センサ
１９  温度センサ
【図１】
2007316183.tif 000003
【図２】
2007316183.tif 000004
【図３】
2007316183.tif 000005
【図４】
2007316183.tif 000006
【図５】
2007316183.tif 000007
【図６】
2007316183.tif 000008
【図７】
2007316183.tif 000009
【図８】
2007316183.tif 000010
【図９】
2007316183.tif 000011
【図１０】
2007316183.tif 000012
【図１１】
2007316183.tif 000013
【図１２】
2007316183.tif 000014